(57)【要約】【課題】衝撃発生時におけるディ  スクの傷付きを防止し、かつ読み取りエラーが起きにくくする。【解決手段】第１のシャーシ部材２と、この第１のシャーシ部材２に載置された第２のシャーシ部材３と、この第２のシャーシ部材３に移動可能に取り付けられた光ピックアップ４と、を有する、光ディスクに対する光軸のずれを調整するスキュー調整機構１に、光ピックアップ４のスキュー調整による光ピックアップ先端の光ディスクの面に対する接近動作および離遠動作に追随させるように、光ピックアップ先端より常に光ディスクに近接した側に位置するディスク受け部２６，２７を備えている。【選択図】  図１
2004259409.tif 000002
【特許請求の範囲】
【請求項１】
第１のシャーシ部材と、この第１のシャーシ部材に載置された第２のシャーシ部材と、この第２のシャーシ部材に移動可能に取り付けられた光ピックアップと、を有する、光ディスクに対する光軸のずれを調整するスキュー調整機構に、
上記光ピックアップのスキュー調整による光ピックアップ先端の上記光ディスクの面に対する接近動作および離遠動作に追随させるように、上記光ピックアップ先端より常に上記光ディスクに近接した側に位置するディスク受け部を備えたことを特徴とするディスク再生装置。
【請求項２】
前記ディスク受け部は、前記第２シャーシ部材に取り付けられていることを特徴とする請求項１記載のディスク再生装置。
【請求項３】
前記第２シャーシ部材に、前記第１シャーシ部材に対して揺動自在となる主軸および副軸を設け、その主軸および副軸に前記光ピックアップをスライド自在に取り付け、当該主軸及び副軸にブリッジ状に取り付けた部材に前記ディスク受け部を設けたことを特徴とする請求項１記載のディスク再生装置。
【発明の詳細な説明】
【０００１】
【発明の属する技術分野】
本発明は、ディスク再生装置に関する。
【０００２】
【従来の技術】
ディスク再生装置には、落下等の衝撃を受けると、装置内に装着されたディスクと、ディスク面を再生／記録するピックアップの駆動機構を構成する部材とが衝突し、ディスク面に傷が付くという問題がある。この問題を解決するため、ディスク面の傷付きを防止する防止機構を備えたディスク再生装置が存在する（たとえば、特許文献１参照）。
【０００３】
特許文献１には、ターンテーブルに装着されたディスクの縁と対向する位置に、衝撃緩衝材となる衝突規制部を複数設けたディスク再生装置が記載されている。この特許文献１記載の発明では、ピックアップおよびピックアップを駆動するための駆動機構とディスク面との隙間よりも、衝突規制部とディスクとの間隔が狭くなるように、衝突規制部が配置されている。
【０００４】
かかる衝突規制部を設けているため、ピックアップ駆動機構が衝撃により傾き、あるいは、ディスクが傾いたり撓んだりすることによって、ディスクとピックアップとの距離が縮まっても、ディスク面はピックアップおよびその駆動機構と衝突せず、ディスク面に傷がつかない。
【０００５】
【特許文献１】
特開２０００−４０３５０号公報（図１など）
【０００６】
【発明が解決しようとする課題】
最近では、ディスクの読み取り性能を良好にするため、定常的なディスクの振れにピックアップを追従させて、ピックアップのディスク面に対する角度及び距離を随時調整するスキュー調整機構を備えたディスク再生装置も知られている。
【０００７】
このスキュー調整機構を備えたディスク再生装置では、ピックアップの調整によって、ピックアップとディスク面との間の距離が変化する。このため、従来のディスク再生装置の場合、ピックアップがディスク面に近くセッティングされた場合を考慮して、ディスク受けを設ける必要がある。
【０００８】
しかし、このように、ピックアップとディスク間の急激な接近を考慮して衝突規制部を設けると、ディスク再生装置の薄型化が進む中、衝突規制部をディスクにかなり接近させる必要が生じ、寸法的な余裕がなくなる。この結果、通常の読み取り動作時に、衝突規制部とディスクとが頻繁にぶつかり、読み取り動作に支障をきたす危険性が高くなる。
【０００９】
本発明の目的は、上述の問題点に鑑みて、スキュー調整機構を有するディスク再生装置において、衝撃発生時におけるディスクの傷付きを防止し、かつ読み取りエラーが起きにくくすることにある。
【００１０】
【課題を解決するための手段】
本発明のディスク再生装置は、第１のシャーシ部材と、この第１のシャーシ部材に載置された第２のシャーシ部材と、この第２のシャーシ部材に移動可能に取り付けられた光ピックアップと、を有する、光ディスクに対する光軸のずれを調整するスキュー調整機構に、光ピックアップのスキュー調整による光ピックアップ先端の光ディスクの面に対する接近動作および離遠動作に追随させるように、光ピックアップ先端より常に光ディスクに近接した側に位置するディスク受け部を備えたことを特徴としている。
【００１１】
また、他の発明は、上述のディスク再生装置において、ディスク受け部は、第２シャーシ部材に取り付けられていることを特徴としている。
【００１２】
また、他の発明は、上述のディスク再生装置において、第２シャーシ部材に、第１シャーシ部材に対して揺動自在となる主軸および副軸を設け、その主軸および副軸に光ピックアップをスライド自在に取り付け、当該主軸及び副軸にブリッジ状に取り付けた部材にディスク受け部を設けたことを特徴としている。
【００１３】
【発明の実施の形態】
以下、本発明に係るディスク再生装置の実施の形態を、図１から図５に基づいて詳細に説明する。なお、最初にスキュー調整について説明し、その後に、ディスク面の傷付きを防止する機構について説明する。
【００１４】
まず、スキュー調整について、説明する。図１は、本発明に係るディスク再生装置の実施の形態におけるスキュー調整機構を示す平面図である。図２は、図１に示すスキュー調整機構の第１のシャーシ部材となるメインシャーシに対して揺動可能なトラバースシャーシおよびその他の部材を示す平面図である。図３は、図１に示すスキュー調整機構における主軸およびトラバースシャーシのラジアル調整時の動作を説明するための構成図である。図４は、図１に示す主軸の端部に取り付けられたラジアル調整用のスキューカムを示す図で、（Ａ）は正面図、（Ｂ）は側面図である。図５は、図１に示すスキュー調整機構におけるトラバースシャーシのタンジェンシャル調整時の動作を説明するための構成図である。
【００１５】
スキュー調整機構１は、ＣＤ−ＲＯＭ、ＤＶＤ、ＭＤなどの光ディスクを再生又は記録するディスク再生装置の本体内に収納されており、本体内部に収納したメカ基台（図示省略）上に緩衝材を介して配置される第１のシャーシ部材であるメインシャーシ２と、メインシャーシ２に載置される第２のシャーシ部材であるトラバースシャーシ３と、トラバースシャーシ３に対してスライド移動可能に配置されている、光ピックアップ４が搭載された光ピックアップアッセンブリー５と、を有している。
【００１６】
メインシャーシ２には、ターンテーブル６（図３参照）をモータ軸に直結させたスピンドルモータアッセンブリー７が固定されている。また、メインシャーシ２には、ネジ止め等により、補強板金８が、メインシャーシ２を覆うように固定されている。
【００１７】
また、メインシャーシ２には、光ピックアップアッセンブリー５をスライド移動させるためのスレッドモータアッセンブリー９が固定されている。スレッドモータアッセンブリー９は、スレッドモータ１０と、このスレッドモータ１０のモータ軸１１とを有している。モータ軸１１には、リードスクリュー１２が形成されている。モータ軸１１の先端は、補強板金８に設けられた軸受け１３に支持されている。
【００１８】
リードスクリュー１２には、光ピックアップアッセンブリー５の爪５ａが係合している。スレッドモータ１０が起動し、リードスクリュー１２が回転すると、リードスクリュー１２の溝に沿って爪５ａが移動する。この結果、光ピックアップアッセンブリー５が、図１において左右方向にスライド移動する。
【００１９】
補強板金８は、複数箇所に足８ａ（図１においては、上方の１カ所のみを表示）を有し、当該足８ａによってメインシャーシ２に固定されている。また、補強板金８の平面部８ｂは、足８ａによって、メインシャーシ２との間に、図１における紙面前後方向に隙間を持たされて、メインシャーシ２の平面に対し平行に配置される。平面部８ｂには、穴が設けられ、この穴内にトラバースシャーシ３が配置される。
【００２０】
図２に示すように、トラバースシャーシ３は、光ピックアップアッセンブリー５をスライド移動可能に配置するための矩形状の穴３ａと、スピンドルモータアッセンブリー７を配置するための丸型の穴３ｂとを有する板金で形成されている。そして、トラバースシャーシ３の図１における上下方向両側（矩形状の穴３ａの両側）には、光ピックアップ４を支持および案内するための主軸１４および副軸１５が、それぞれ設けられている。
【００２１】
光ピックアップ４を保持する光ピックアップアッセンブリー５は、主軸１４および副軸１５に沿ってスライド自在に支持されている。また、光ピックアップアッセンブリー５の一端（図２における下端）よりさらに延出された延出部５ｂに設けられた爪５ａは、リードスクリュー１２に係合している。
【００２２】
このため、光ピックアップアッセンブリー５は、スレッドモータ１０の駆動力によって、主軸１４および副軸１５に沿ってトラバースシャーシ３の矩形状の穴３ａ内をスライド移動可能である。この動作によって、光ピックアップ４は、ターンテーブル６に載置された光ディスク１６の信号記録面の内周と外周との間で移動しながら、光ディスク１６の信号記録面を読み取る。
【００２３】
また、トラバースシャーシ３は、メインシャーシ２に固定された補強板金８に対して揺動可能に配置されている。以下、トラバースシャーシ３を揺動させ、トラバースシャーシ３に取り付けられた光ピックアップ４の光ディスク１６に対する光軸を調整する機構、すなわち、スキュー調整機構の各構成について説明する。
【００２４】
図３に示すように、トラバースシャーシ３の左右両端近傍における下面には、メインシャーシ２側に向かって突出した被載置部１７が設けられている。この被載置部１７の下面は、メインシャーシ２上に配置された圧縮コイルバネ１８に当接している。
【００２５】
このため、トラバースシャーシ３は、圧縮コイルバネ１８によって上方へ付勢されている。また、トラバースシャーシ３の上面には、上方へ突出する主軸受け部１９が設けられている。この主軸受け部１９の上面は、凹面で形成されており、凹面内に主軸１４が回転自在にはまりこんでいる。
【００２６】
また、主軸１４の両端には、メインシャーシ２とトラバースシャーシ３との間に介在して回転可能となっているラジアル調整用スキューカム２０，２１が、それぞれ取り付けられている。図４は、図１に示したスキュー調整機構１のラジアル調整用スキューカム２０の一部を示す図である。なお、ラジアル調整用スキューカム２１も、ラジアル調整用スキューカム２０と同様の構成である。
【００２７】
図４に示すように、ラジアル調整用スキューカム２０は、主軸１４の端部からさらに外側に向かってスパイラル形状に延在して略円錐状に直径が小さくなる段差を有している。このラジアル調整用スキューカム２０は、トラバースシャーシ３に対して、その軸心の高さを不変に構成されている。
【００２８】
このラジアル調整用スキューカム２０は、図示しないスキュー調整駆動源によって、必要に応じて、スパイラル形状の段差をメインシャーシ２に固定された補強板金８に係合させた状態で、主軸１４と共に回転させられる。すると、ラジアル調整用スキューカム２０が、補強板金８に対して、スパイラル形状に沿って送られ、主軸１４の片側が降下し、主軸１４の他方側が上昇する。すなわち、主軸１４は、長手方向略中央を支点Ｚとして揺動する。これにより、光ピックアップ４と光ディスク１６との間の距離が変わり、光ディスク１６に対する光軸のずれの調整（スキュー調整）が行われる。
【００２９】
また、トラバースシャーシ３の図１における上端中央には、さらに図１における上方へ突出したスキュー調整用縁部２２が設けられている。このスキュー調整用縁部２２には、孔（図示省略）が形成されている。図５に示すように、孔内には、タンジェンシャル調整用ネジ２４がはまりこんでいる。また、補強板金８の上記孔と同軸上となる位置には、タンジェンシャル調整用ネジ２４がはまり込むネジ受け部２３が設けられている。また、タンジェンシャル調整用ネジ２４の首部分とネジ受け部２３の間の隙間には、圧縮コイルバネ２５が配置されている。
【００３０】
タンジェンシャル調整用ネジ２４を、図示しないスキュー調整駆動源によって、必要に応じて回転させることにより、タンジェンシャル調整用ネジ２４は、圧縮コイルバネ２５を圧縮させながら軸方向へ下降、あるいは圧縮コイルバネ２５を伸張させながら軸方向へ上昇する。すると、タンジェンシャル調整用ネジ２４の部分のトラバースシャーシ３が、タンジェンシャル調整用ネジ２４の回転方向によって上昇または下降する。すなわち、トラバースシャーシ３の図５における上端側は、主軸１４を支点として、図５において左右方向へ揺動する。これにより、トラバースシャーシ３が傾斜し、光ピックアップ４と光ディスク１６との間の光軸のずれの調整（スキュー調整）が行われる。
【００３１】
上述したように、本実施の形態では、主軸１４の傾きの調整、およびタンジェンシャル調整用ネジ２４の回転調整によって、トラバースシャーシ３がメインシャーシ２に対して自在に揺動する。これによって、トラバースシャーシ３と共に光ピックアップアッセンブリー５が揺動し、光ピックアップ４の光ディスク１６に対する光軸のずれが調整される。
【００３２】
次に、ディスク面の傷付きを防止する機構について、図１から図５に基づいて説明する。
【００３３】
トラバースシャーシ３の上面、すなわち、主軸１４および副軸１５が載置された側の面には、第１のディスク受け部２６及び第２のディスク受け部２７が設けられている。第１のディスク受け部２６は、副軸１５の軸方向外側となる位置に設けられている。第１のディスク受け部２６は、主軸１４および副軸１５を含むトラバースシャーシ３の各部位、および光ピックアップ４を含む光ピックアップアッセンブリー５の各部位よりも、光ディスク１６のディスク面側に突出して設けられている。
【００３４】
また、第２のディスク受け部２７は、図１において主軸１４の下方（主軸１４の外側）となる位置に設けられている。第２のディスク受け部２７は、第１のディスク受け部２６と同様、主軸１４および副軸１５を含むトラバースシャーシ３の各部位、および光ピックアップ４を含む光ピックアップアッセンブリー５の各部位よりも、光ディスク１６のディスク面側に突出している。
【００３５】
上述の両ディスク受け部２６，２７は、樹脂部材で構成されている。また、図２に示すように、両ディスク受け部２６，２７は、ターンテーブル６（図３参照）に載置された光ディスク１６の外周縁近傍に配置される。両ディスク受け部２６，２７は、トラバースシャーシ３に一体的に固定されており、スキュー調整によってトラバースシャーシ３と一体的に動く。このため、両ディスク受け部２６，２７は、トラバースシャーシ３上に載置された光ピックアップアッセンブリー５と一体的に動作する。
【００３６】
すなわち、両ディスク受け部２６，２７は、光ピックアップ４の光ディスク１６の面に対する接近動作および離遠動作に追随して動く。また、両ディスク受け部２６，２７は、常に、光ピックアップ４および光ピックアップアッセンブリー５よりも、光ディスク１６側にある。したがって、衝撃による振動等を受けて、ディスク再生装置内で光ディスク１６が撓んだり、あるいは傾いたりして、光ディスク１６と光ピックアップ４および光ピックアップアッセンブリー５とが接近しても、両ディスク受け部２６，２７が光ディスク１６の信号記録部ではない外周縁付近にぶつかり、光ピックアップ４および光ピックアップアッセンブリー５は、光ディスク１６に接触しない。
【００３７】
このため、光ディスク１６の信号記録面は、光ピックアップ４および光ピックアップアッセンブリー５に衝突せず保護される。また、光ピックアップ４側についても、光ディスク１６との衝突によって損傷することはない。
【００３８】
なお、この実施の形態によれば、常に、両ディスク受け部２６，２７が、光ピックアップ４よりも光ディスク１６側に配置されるため、ディスク再生装置を薄型とし、光ピックアップ４と光ディスク１６との距離を小さくしても、両ディスク受け部２６，２７が光ディスク１６に接触し、光ディスク１６への直接的な衝撃はない。また、この実施の形態によれば、両ディスク受け部２６，２７は、光ピックアップ４のスキュー調整動作に追随するため、光ディスク１６と光ピックアップ４との距離が小さくても、光ディスク１６が頻繁に両ディスク受け部２６，２７にぶつかることはない。
【００３９】
以上、本発明によるスキュー調整装置の実施の形態を詳細に説明したが、本発明は前述した実施の形態に限定されるものではなく、その要旨を逸脱しない範囲で種々、変更実施可能である。例えば、上述の実施の形態では、第１のディスク受け部２６を副軸１５の軸方向外側に、第２のディスク受け部２７を主軸１４の幅方向外側に、それぞれ設けたが、特にこの位置に限定されるものではない。
【００４０】
第１および第２のディスク受け部２６，２７は、ターンテーブル６に載置される光ディスク１６に対向する位置でかつ光ピックアップ４と一体的にスキュー調整によって揺動する部位であれば、どこに配置しても良い。
【００４１】
また、上述の実施の形態では、第１及び第２のディスク受け部２６，２７を、トラバースシャーシ３に設けたが、光ピックアップ４と一体的にスキュー調整によって動作する部材に設けるのであれば、トラバースシャーシ３に直接設けなくても良い。
【００４２】
例えば、図６に示すように、トラバースシャーシ３上の主軸１４および副軸１５にブリッジ状に橋渡しされた樹脂部材３０を設け、この樹脂部材３０の上面に第１のディスク受け部３１および第２のディスク受け部３２を設けるようにしても良い。
【００４３】
【発明の効果】
以上説明したように、本発明によれば、スキュー調整機構を有するディスク再生装置において、衝撃発生時におけるディスクの傷付きを防止し、かつ読み取りエラーが起きにくくすることができる。
【図面の簡単な説明】
【図１】本発明に係るディスク再生装置の実施の形態におけるスキュー調整機構を示す平面図である。
【図２】図１に示すスキュー調整機構の第１のシャーシ部材となるメインシャーシに対して揺動可能なトラバースシャーシおよびその他の部材を示す平面図である。
【図３】図１に示すスキュー調整機構における主軸およびトラバースシャーシのラジアル調整時の動作を説明するための構成図である。
【図４】図１に示す主軸の端部に取り付けられたラジアル調整用のスキューカムを示す図で、（Ａ）は正面図、（Ｂ）は側面図である。
【図５】図１に示すスキュー調整機構におけるトラバースシャーシのタンジェンシャル調整時の動作を説明するための構成図である。
【図６】本発明に係るディスク再生装置の他の実施の形態におけるスキュー調整機構の一部を示す平面図である。
【符号の説明】
１  スキュー調整機構
２  メインシャーシ（第１のシャーシ部材）
３  トラバースシャーシ（第２のシャーシ部材）
４  光ピックアップ
５  光ピックアップアッセンブリー
１４  主軸
１５  副軸
２６  第１のディスク受け部
２７  第２のディスク受け部
３１  第１のディスク受け部
３２  第２のディスク受け部
【図１】
2004259409.tif 000003
【図２】
2004259409.tif 000004
【図３】
2004259409.tif 000005
【図４】
2004259409.tif 000006
【図５】
2004259409.tif 000007
【図６】
2004259409.tif 000008
【手続補正書】
【提出日】平成15年3月18日(2003.3.18)
【手続補正１】
【補正対象書類名】図面
【補正対象項目名】図５
【補正方法】変更
【補正の内容】
【図５】
2004259409.tif 000009